(57)【特許請求の範囲】
【請求項１】
メモリカードの情報を読み取るための読取ヘッド部が設けられた読取ケースと、
前記読取ヘッド部に所定の接続ケーブルにより電気的に接続されて前記読取ヘッド部を制御する制御回路部が設けられた機器ケースと、
を備え、
前記機器ケースは、所定の面に表示部とキー入力部とが設けられているとともに、前記表示部と前記キー入力部とのうち前記キー入力部側の端面に前記接続ケーブルを引き入れるための挿通口が設けられており、
前記読取ケースは、前記表示部と前記キー入力部とのうち前記キー入力部に近い側で前記機器ケースに取り付けられ、
前記制御回路部は、基板面が前記所定の面に対して垂直に配置された回路基板を有しているとともに、前記回路基板が前記所定の面を平面視したときに前記端面から前記キー入力部と重なる位置まで後退した位置に配置されていることを特徴とする携帯情報端末。
【請求項２】
前記読取ケースは、前記読取ヘッドに前記メモリカードを近接させるためのカード挿入口が設けられており、前記カード挿入口は、前記読取ケースにおける前記所定の面と同じ側に設けられていることを特徴とする請求項１に記載の携帯情報端末。
【請求項３】
前記読取ケースは、取付部材によって前記機器ケースに着脱可能に取り付けられていることを特徴とする請求項１または２に記載の携帯情報端末。
【発明の詳細な説明】
【技術分野】
【０００１】
この発明は、携帯情報端末に関する。
【背景技術】
【０００２】
例えば、携帯電話機などの電子機器においては、特許文献１に記載されているように、機器ケース内にカード装着部を設け、このカード装着部にメモリカードを差し込むことにより、メモリカードと機器ケース内の電子回路との間で情報の授受を行うように構成されたものが知られている。
【先行技術文献】
【特許文献】
【０００３】
【特許文献１】特開２００５−３５２５４４号公報
【０００４】
この種の電子機器では、機器ケース内にカード装着部が機器ケースの上下面と平行する平面状に設けられ、このカード装着部のカード挿入口が機器ケースの側面に設けられている。このため、メモリカードの大きさに応じてカード装着部の大きさが決定されると共に、このカード装着部が機器ケース内に占める領域が大きくなり、機器ケースが大型化するという不都合がある。
【０００５】
そこで、このような不都合を解消するために、カード装着部のカード挿入口を機器ケースの上面に設けてカード装着部を縦向きにして機器ケースの厚み方向に浅く形成することにより、メモリカードの一部をカード装着部に挿入させ、この状態で情報の授受を行うように構成されたものが開発されている。
【発明の概要】
【発明が解決しようとする課題】
【０００６】
しかしながら、このような電子機器は、機器ケースをコンパクトに形成することができても、カード装着部のカード挿入口が機器ケースの上面に設けられているため、雨天のときに屋外で使用すると、雨水などの水滴がカード挿入口からカード装着部内に浸入し易くなり、この浸入した水滴が機器ケース内に浸入して機器ケース内の電子回路に悪影響を及ぼす恐れがあるという問題が生じる。
【０００７】
この発明が解決しようとする課題は、機器ケース内に水滴が浸入した場合に制御回路部がショートするリスクを低減することである。
【課題を解決するための手段】
【０００８】
この発明は、メモリカードの情報を読み取るための読取ヘッド部が設けられた読取ケースと、前記読取ヘッド部に所定の接続ケーブルにより電気的に接続されて前記読取ヘッド部を制御する制御回路部が設けられた機器ケースと、を備え、前記機器ケースは、所定の面に表示部とキー入力部とが設けられているとともに、前記表示部と前記キー入力部とのうち前記キー入力部側の端面に前記接続ケーブルを引き入れるための挿通口が設けられており、前記読取ケースは、前記表示部と前記キー入力部とのうち前記キー入力部に近い側で前記機器ケースに取り付けられ、前記制御回路部は、基板面が前記所定の面に対して垂直に配置された回路基板を有しているとともに、前記回路基板が前記所定の面を平面視したときに前記端面から前記キー入力部と重なる位置まで後退した位置に配置されていることを特徴とする携帯情報端末である。
【発明の効果】
【０００９】
この発明によれば、機器ケース内に水滴が浸入した場合に制御回路部がショートするリスクを低減することができる。
【図面の簡単な説明】
【００１０】
【図１】この発明を携帯情報端末機に適用した一実施形態を示した正面図である。
【図２】図１に示された携帯情報端末機の側面図である。
【図３】図１に示された携帯情報端末機の裏面図である。
【図４】図３に示された携帯情報端末機の電池蓋を開いて上下反転させた状態を示した要部の拡大斜視図である。
【図５】図４に示された携帯情報端末機の電池収納部の内部を示した要部の拡大平面図である。
【図６】図４に示された携帯情報端末機の電池収納部に収納される電池パックを示した拡大斜視図である。
【図７】図１に示された携帯情報端末機のＡ−Ａ矢視における要部の拡大断面図である。
【図８】図７に示された携帯情報端末機の取付部材およびこれを通り抜ける接続ケーブルを示した要部の拡大斜視図である。
【発明を実施するための形態】
【００１１】
以下、図１〜図８を参照して、この発明を携帯情報端末機に適用した一実施形態について説明する。
この携帯情報端末機は、図１および図２に示すように、機器ケース１を備えている。この機器ケース１は、図１〜図３に示すように、上部ケース２、下部ケース３、および中ケース４を備えている。
【００１２】
この機器ケース１は、図１および図２に示すように、全体が縦方向（図１では上下方向）に長いほぼ長方形の箱形状に形成されている。この場合、機器ケース１は、その手前側（図１では下部側）が幅の狭い握り部１ａに形成され、先端側（図１では上部側）が幅の広いプリンタ搭載部１ｂに形成された構成になっている。この機器ケース１の上部ケース２における握り部１ａには、入力表示部５とキー入力部６とが設けられている。
【００１３】
入力表示部５は、表示パネルの表面に透明なタッチパネルを配置したものであり、表示パネルに表示された情報が透明なタッチパネルを通して見え、この表示された情報を見ながらタッチパネルをタッチ操作することにより、情報が入力されるように構成されている。また、キー入力部６は、テンキー、ファンクションキーなどの各種のキーを備え、キー操作によって情報が入力されるように構成されている。
【００１４】
また、この機器ケース１の上部ケース２におけるプリンタ搭載部１ｂには、図１に示すように、プリンタ部７およびプリンタカバー８が設けられている。プリンタカバー８は、記録紙収納部（図示せず）を開閉自在に覆うものであり、記録紙収納部の上辺部に位置する縁に回転可能に取り付けられている。記録紙収納部は、ロール状の記録紙が回転可能な状態で収納されるように構成されている。
【００１５】
プリンタ部７は、図１に示すように、記録紙排出口７ａ内における握り部１ａ側に設けられた印字ヘッド（図示せず）と、記録紙排出口７ａ内における印字ヘッドと反対側に位置する箇所に設けられたプラテンローラ（図示せず）とを備えている。このプリンタ部７は、図示しないが、印字ヘッドとプラテンローラとの間に送り込まれた記録紙に印字ヘッドによって情報を印字するように構成されている。
【００１６】
一方、機器ケース１の下部ケース３における握り部１ａには、図４および図５に示すように、電池パック１１を着脱可能に収納する電池収納部１０が、下部ケース３の下側（図４では上側）に開放された状態で、設けられている。電池パック１１は、充電池であり、プリンタ部７が記録紙に情報を印字する際に、プリンタ部７に十分な電流つまり大電流を供給するように構成されている。
【００１７】
すなわち、この電池パック１１は、図６に示すように、長方形のほぼ箱形状に形成されている。この電池パック１１の一方の側面（図６では右側の側面）には、電池電極１１ａが露出して設けられている。また、電池収納部１０は、図４および図５に示すように、下部ケース３内に設けられた中ケース４に設けられている。
【００１８】
この場合、下部ケース３には、電池パック１１が挿入する電池開口部３ａが電池収納部１０に対応して設けられている。中ケース４は、情報処理に必要な各種の電子部品が搭載された後述する回路基板３０を取り付けるためのものであり、下部ケース３の電池開口部３ａに対応する箇所に電池収納部１０が凹部状に形成されている。
【００１９】
この中ケース４の周縁部と下部ケース３の電池開口部３ａの周縁部との間には、図７に示すように、防水パッキン１３ａが挟み付けられた状態で設けられている。また、上部ケース２の周縁部と下部ケース３の周縁部との間には、防水パッキン１３ｃが圧縮された状態で設けられている。これにより、電池収納部１０および機器ケース１は、防水性が確保されている。
【００２０】
また、この電池収納部１０の内面には、図５に示すように、電池パック１１の電池電極１１ａが接触する接続電極１４が設けられている。これにより、電池収納部１０は、図４〜図６に示すように、その接続電極１４に電池パック１１の電池電極１１ａを対応させた状態で、電池収納部１０の内部に電池パック１１が挿入するように構成されている。
【００２１】
この電池収納部１０は、図３および図５に示すように、挿入された電池パック１１を接続電極１４に向けてスライドさせることにより、電池パック１１の電池電極１１ａが電池収納部１０内に突出した接続電極１４に弾力的に接触して電池パック１１が電気的に接続されるように構成されている。
【００２２】
また、この電池収納部１０は、図２〜図４に示すように、電池蓋１５によって開閉可能に塞がれるように構成されている。この電池蓋１５は、図４および図５に示すように、電池パック１１のスライド方向に沿う下部ケース３の電池開口部３ａの縁部に設けられた支持軸１６に回転可能に取り付けられている。また、この電池蓋１５は、図４に示すように、電池収納部１０を塞いだ際に、下部ケース３の外形と連続する湾曲形状の蓋本体部１５ａと、この蓋本体部１５ａの内面に設けられた枠状部１５ｂとを備えている。
【００２３】
これにより、この電池蓋１５は、図４および図５に示すように、電池収納部１０を塞いだ際に、下部ケース３の電池開口部３ａの縁部に設けられた防水パッキン１３ｂに枠状部１５ｂが圧接するように構成されている。この場合、下部ケース３の電池開口部３ａの縁部には、防水パッキン１３ｂを収納するパッキン溝３ｂが、電池開口部３ａの全周に亘って連続して設けられている。
【００２４】
また、下部ケース３には、図３〜図５に示すように、電池蓋１５を係脱可能にロックする一対の蓋ロック部材９が設けられている。この一対の蓋ロック部材９は、電池蓋１５の支持軸１６と反対側に位置する下部ケース３の電池開口部３ａにおける縁部の両側にそれぞれ回転可能に設けられたロック部９ａと、このロック部９ａに設けられてロック部９ａを回転操作する操作レバー９ｂとを備えている。
【００２５】
このロック部９ａは、図４に示すように、そのほぼ半分が電池蓋１５の支持軸１６と反対側に位置する縁部に設けられた半円形状のロック溝１２内に回転可能に配置され、このロック溝１２内に設けられた係止鍔部１２ａを係脱可能に係止するように構成されている。また、このロック部９ａは、操作レバー９ｂの操作によって回転し、ロック溝１２内から離脱した際に、ロック溝１２内の係止鍔部１２ａに対するロックを解除するように構成されている。
【００２６】
これにより、この一対の蓋ロック部材９は、図３に示すように、電池蓋１５が電池収納部１０を塞いで閉じた状態のときに、電池蓋１５のロック溝１２にロック部９ａが対応し、この状態で操作レバー９ｂを操作してロック部９ａを回転させると、このロック部９ａの一部がロック溝１２内に配置されてロック溝１２内の係止鍔部１２ａを下部ケース３に向けて押し付けることにより、電池蓋１５をロックするように構成されている。
【００２７】
ところで、この機器ケース１の手前側の端部（図１では下端部）には、図１〜図３に示すように、カード読取装置１８が設けられている。このカード読取装置１８は、図７に示すように、読取ケース２０が取付部材２１によって機器ケース１の端部（図７では右端部）に取り付けられている。この取付部材２１は、機器ケース１の端部における外面に着脱可能に取り付けられる固定板部２１aと、この固定板部２１ａの上部から機器ケース１の外部に向けて突出した取付板部２１ｂとを備えている。
【００２８】
この取付部材２１の固定板部２１ａは、図７に示すように、機器ケース１の端部に位置する上部ケース２の外面上部に設けられた上フック部２２ａと、機器ケース１の端部に位置する下部ケース３の外面上部に設けられた下フック部２２ｂとに係止されることにより、機器ケース１の端部に取り付けられるように構成されている。
【００２９】
読取ケース２０は、図１〜図４に示すように、機器ケース１の長手方向に対して直交する幅方向の長さよも少し短い長さで、この長さよりも機器ケース１の長手方向に沿う長さが更に短い、ほぼ長方形の箱形状に形成されている。この読取ケース２０は、図７に示すように、機器ケース１に接近する側面に開口部２０ａが設けられ、この開口部２０ａから取付部材２１の取付板部２１ｂが挿入し、この挿入した取付板部２１ｂに読取ケース２０の上部内面が取り付けられるように構成されている。
【００３０】
また、この読取ケース２０には、図１、図２および図７に示すように、カード挿入口２３が機器ケース１の長手方向に対して直交する幅方向に沿って設けられている。このカード挿入口２３は、磁気カード２４がスライド可能に挿入する部分であり、読取ケース２０の両側部に亘って連続して開放された状態で設けられている。
【００３１】
この読取ケース２０の内部には、図７に示すように、磁気カード２４に記録されている磁気情報を読み取るためのカード読取部２５の一部、つまり後述する読取ヘッド部２７が設けられている。この場合、カード読取部２５は、制御回路部２６と読取ヘッド部２７とに分割されている。
【００３２】
この分割されたカード読取部２５は、図７に示すように、制御回路部２６が機器ケース１内に設けられ、読取ヘッド部２７が読取ケース２０内に設けられ、この状態で制御回路部２６と読取ヘッド部２７とが接続ケーブル２８によって電気的に接続されるように構成されている。
【００３３】
このカード読取部２５の制御回路部２６は、図７に示すように、読取ケース２０が取り付けられる箇所の機器ケース１の内面とこれに隣接して設けられた機器ケース１内の電池収納部１０との間における狭い領域内に配置されている。また、この制御回路部２６は、第１回路基板３０と第２回路基板３１とに分散されて搭載されている。
【００３４】
第１回路基板３０は、図７に示すように、機器ケース１の上部ケース２と中ケース４との間に、上部ケース２の上面とほぼ平行な状態で配置されている。この第１回路基板３０は、その一端部（図７では左側端部）が機器ケース１の長手方向に対して直交する幅方向と同じ幅で、読取ケース２０が取り付けられる箇所の機器ケース１の内面とこれに隣接して設けられた機器ケース１内の電池収納部１０との間に延出されている。
【００３５】
第２回路基板３１は、図７に示すように、読取ケース２０が取り付けられる箇所の機器ケース１の内面とこれに隣接して設けられた機器ケース１内の電池収納部１０との間に延出された箇所の第１回路基板３０に、ほぼ垂直な状態でコネクタ部３２によって電気的に接続されて取り付けられている。
【００３６】
一方、カード読取部２５の読取ヘッド部２７は、図７に示すように、読取ケース２０内に設けられたヘッド取付部材３３に取り付けられている。このヘッド取付部材３３は、読取ケース２０の底部上に一対のガイド板３３ａ、３３ｂを所定間隔離した状態で互いに対向させて配置した構成になっている。一対のガイド板３３ａ、３３ｂは、読取ケース２０のカード挿入口２３に対応して配置されており、その下部には、底板３３ｃが設けられている。
【００３７】
すなわち、一対のガイド板３３ａ、３３ｂは、図７に示すように、読取ケース２０のカード挿入口２３から挿入した磁気カード２４がスライド可能に挿入する部分であり、カード挿入口２３よりも少し狭い間隔で互いに対向している。この一対のガイド板３３ａ、３３ｂのうち、機器ケース１側に位置するガイド板３３ａには、読取ヘッド部２７が取り付けられている。
【００３８】
この読取ヘッド部２７は、磁気カード２４に記録されている磁気情報を読み取る磁気ヘッドであり、図７に示すように、接続ケーブル２８によって制御回路部２６の第２回路基板３１と電気的に接続されている。この場合、接続ケーブル２８は、読取ヘッド部２７に接続された部分がモールド樹脂３４によって覆われていることにより、防水性が確保されている。
【００３９】
また、この接続ケーブル２８は、図７および図８に示すように、取付部材２１の固定板部２１ａに設けられたシールド板３５を通して、読取ケース２０内と機器ケース１内とに導かれている。この場合、シールド板３５は、その周縁部が防水テープ（図示せず）によって取付部材２１の固定板部２１ａに、シールドされた状態で取り付けられている。また、このシールド板３５は、その中央部にケーブル挿入孔３５ａが設けられ、このケーブル挿入孔３５ａに挿入された箇所の接続ケーブル２８をクッション材などのシール材３５ｂによってシールドした構成になっている。
【００４０】
次に、このような携帯情報端末機の作用について説明する。
まず、電池パック１１を電池収納部１０に装着する。この場合には、一対の蓋ロック部材９の操作レバー９ｂを操作してロック部９ａをロック溝１２内の係止鍔部１２ａから離脱させ、一対の蓋ロック部材９による電池蓋１５のロックを解除する。これにより、電池蓋１５の支持軸１６を中心に電池蓋１５を回転させると、電池収納部１０が開く。
【００４１】
そして、電池収納部１０内に電池パック１１を挿入してスライドさせることにより、電池パック１１の電池電極１１ａを電池収納部１０内の接続電極１４に押し付ける。この状態で、電池蓋１５を閉じて電池収納部１０を塞ぐ。そして、電池収納部１０を塞いで閉じた電池蓋１５を蓋ロック部材９によってロックする。
【００４２】
このときには、電池蓋１５のロック溝１２内にロック部９ａが対応して配置される。この状態で、操作レバー９ｂを操作してロック部９ａを回転させると、このロック部９ａの一部がロック溝１２内に配置されてロック溝１２内の係止鍔部１２ａを下部ケース３に向けて押し付ける。これにより、電池蓋１５が下部ケース３に対してロックされる。
【００４３】
このように、電池収納部１０に電池パック１１を収納して電池蓋１５を閉じた状態で、屋外で使用する際には、雨天であっても、電池収納部１０内に雨水などの水滴が浸入することがなく、良好に使用することができる。すなわち、電池蓋１５を閉じて電池収納部１０を塞いだ際には、防水パッキン１３ｂが配置された下部ケース３の凹溝３ｂ内に電池蓋１０の枠状の凸部１５ｃが嵌合して防水パッキン１３ｂを押し付けることにより、下部ケース３の電池開口部３ａが密閉されているので、雨水などの水滴が電池収納部１０内に浸入するのを確実に防ぐことができる。
【００４４】
また、電池収納部１０に電池パック１１を収納して電池蓋１５を閉じた状態で、カード読取部２５で磁気カード２４を読み取る場合には、磁気カード２４の一端部（例えば右端部）を読取ケース２０のカード挿入口２３の一端部（例えば左端部）からヘッド取付部材３３の一対のガイド板３３ａ、３３ｂ間に挿入し、この挿入した磁気カード２４をカード挿入口２３および一対のガイド板３３ａ、３３ｂ間に沿って、カード挿入口２３の他端部（例えば右端部）に向けてスライドさせる。
【００４５】
このときには、一対のガイド板３３ａ、３３ｂのうち、機器ケース１側に位置するガイド板３３ａに取り付けられた読取ヘッド部２７が、磁気カード２４に記録されている磁気情報を磁気カード２４のスライドに応じて読み取り、この磁気情報を接続ケーブル２８によって制御回路部２６に送り、この送られた磁気情報を機器ケース１の入力表示部５に表示する。これにより磁気カード２４に記録されていた情報を確認することができる。
【００４６】
また、このような携帯情報端末機を雨天のときに屋外で使用しても、雨水の影響を受けずに、カード読取装置１８を使用することができる。この場合には、雨水が読取ケース２０のカード挿入口２３からヘッド取付部材３３の一対のガイド板３３ａ、３３ｂ間に浸入しても、この浸入した雨水などの水滴のほとんどは、一対のガイド板３３ａ、３３ｂの下部の底板３３ｃ上に沿って流れて、カード挿入口２３の両側部から読取ケース２０の外部に排出される。このため、雨天のときに屋外で磁気カード２４をカード読取部２５の読取ヘッド部２７で読み取ることができる。
【００４７】
また、雨水が読取ケース２０のカード挿入口２３からヘッド取付部材３３の一対のガイド板３３ａ、３３ｂ間に浸入し、この浸入した雨水などの水滴が読取ケース２０内に浸入して読取ヘッド部２７に付着しても、読取ヘッド部２７は水滴の影響を受けずに磁気カード２４を読み取ることができる。この場合、読取ヘッド部２７に接続された箇所の接続ケーブル２８がモールド樹脂３２で覆われていることにより、この接続ケーブル２８が水滴の影響を受けることがなく、読取ヘッド部２７で読み取った磁気情報を制御回路部２６に送ることができる。
【００４８】
また、この接続ケーブル２８は、取付部材２１の固定板部２１ａに設けられたシールド板３５を通して、読取ケース２０内と機器ケース１内とに導かれていても、シールド板３５の中央部に設けられたケーブル挿入孔３５ａに挿入された接続ケーブル２８の箇所がシール材３５ｂによってシールドされているので、読取ケーシ２０内に浸入した水滴が接続ケーブル２８を伝わって機器ケース１内に浸入するのを防ぐことができる。これにより、雨天のときに使用しても、雨水などの水滴の影響を受けずに、磁気カード２４の情報を良好に読み取ることができる。
【００４９】
このように、この携帯情報端末機におけるカード読取装置１８によれば、磁気カード２４の情報を読み取るカード読取部２５を制御回路部２６と読取ヘッド部２７とに分割し、制御回路部２６を機器ケース１内に設け、読取ヘッド部２７を機器ケース１に取り付けられた読取ケース２０内に設け、制御回路部２６と読取ヘッド部２７とを接続ケーブル２８によって電気的に接続しているので、機器全体の小型化を図ることができると共に、機器ケース１内への水滴の浸入を防いで磁気カード２４の情報をカード読取部２５で良好に読み取ることができる。
【００５０】
すなわち、このカード読取装置１８では、カード読取部２５が制御回路部と読取ヘッド部とに分割され、制御回路部２６が機器ケース１内に設けられ、読取ヘッド部２７が読取ケース２０内に設けられているので、水滴が読取ケース２０内に浸入しても、この浸入した水滴が機器ケース１内に浸入するのを防ぐことができ、これによりカード読取部２５の制御回路部２６が水滴による悪影響を受けないようにすることができる。
【００５１】
また、このカード読取装置１８では、カード読取部２５の制御回路部２６と読取ヘッド部２７とを機器ケース１と読取ケース２０とに分散して設けることができるので、機器全体をコンパクトに構成することができると共に、衝撃に弱い制御回路部２６を機器ケース１内に設け、衝撃に強い読取ヘッド部２７を読取ケース２０内に設けることができるので、耐衝撃性の向上を図ることができる。
【００５２】
この場合、制御回路部２６は、第１回路基板３０と第２回路基板３１とに分散されて搭載されていることにより、制御回路部２６を機器ケース１内に効率良くコンパクトに設けることができる。すなわち、第１回路基板３０を機器ケース１の上面に対してほぼ平行に配置し、第２回路基板３１を第１回路基板３０にほぼ垂直な状態でコネクタ部３２によって電気的に接続して配置することにより、第１回路基板３０と第２回路基板３１とを機器ケース１内に最小のスペースで配置することができる。
【００５３】
この場合、第１回路基板３０は、機器ケース１内に配置された状態で、読取ケース２０が取り付けられる機器ケース１の内面とこれに隣接して設けられた機器ケース１内の電池収納部１０との間に延出されていることにより、機器ケース１内の狭いスペースに第１回路基板３０を効率良く設置することができる。
【００５４】
このため、読取ケース２０が取り付けられる機器ケース１の内面と機器ケース１内の電池収納部１０との間のスペースを、第１回路基板３０の幅方向の長さと同じ幅で狭く形成することができると共に、第２回路基板３１を第１回路基板３０にほぼ垂直な状態でコネクタ部３２によって電気的に接続して配置することができ、これにより機器ケース１全体をコンパクトに構成することができる。
【００５５】
また、このカード読取装置１８によれば、読取ヘッド部２７に接続された箇所の接続ケーブル２８の端部がモールド樹脂３２によって覆われていることにより、雨水などの水滴が読取ケース２０内に浸入して読取ヘッド部２７に付着しても、読取ヘッド部２７が水滴の影響を受けずに、磁気カード２４を読み取ることができると共に、接続ケーブル２８が水滴の影響を受けずに、読取ヘッド部２７で読み取った磁気情報を制御回路部２６に確実に且つ良好に送ることができる。
【００５６】
さらに、このカード読取装置１８によれば、読取ケース２０が機器ケース１に取付部材２１によって着脱可能に取り付けられていることにより、カード読取部２５を制御回路部２６と読取ヘッド部２７とに分割し、制御回路部２６を機器ケース１内に設け、読取ヘッド部２７を読取ケース２０内に設ける際に、制御回路部２６と読取ヘッド部２７とをそれぞれ個別に機器ケース１と読取ケース２０とに設けることができ、これにより組立て作業性の向上を図ることができる。
【００５７】
また、このカード読取装置１８によれば、機器ケース１と読取ケース２０との間に、シールド板３５が配置されており、このシールド板３５における接続ケーブル２８が通り抜ける箇所に、接続ケーブル２８をシールドするクッション材などのシール材３５ｂが設けられていることにより、読取ケーシ２０内に浸入した水滴が接続ケーブル２８を伝わって機器ケース１内に浸入するのを防ぐことができる。これにより、雨天のときに使用しても、雨水などの水滴の影響を受けずに、磁気カード２４の情報を良好に読み取ることができる。
【００５８】
さらに、この携帯情報端末機によれば、カード読取部２５を制御回路部２６と読取ヘッド部２７とに分割し、制御回路部２６を機器ケース１内に設け、読取ヘッド部２７を読取ケース２０内に設けているので、水滴が読取ケース２０内に浸入しても、この浸入した水滴が機器ケース１内に浸入するのを防ぐことができ、これによりカード読取部２５の制御回路部２６が水滴による悪影響を受けないようにすることができる。
【００５９】
また、この携帯情報端末機によれば、カード読取部２５の制御回路部２６と読取ヘッド部２７とを機器ケース１と読取ケース２０とに分散して設けることができるので、機器全体をコンパクトに構成することができると共に、衝撃に弱い制御回路部２６を機器ケース１内に設け、衝撃に強い読取ヘッド部２７を読取ケース２０内に設けることができるので、耐衝撃性の向上を図ることができる。
【００６０】
なお、上述した実施形態では、メモリカードとして磁気カード２４を用いた場合について述べたが、必ずしも磁気カード２４である必要はなく、例えばＩＣカードなどのメモリカードであっても良い。また、読取ヘッド部２７も、磁気ヘッド部である必要はなく、非接触近接型の読取ヘッド部であっても良い。
【００６１】
また、上述した実施形態では、携帯情報端末機に適用した場合について述べたが、必ずしも携帯情報端末機に適用する必要はなく、例えば携帯電話機やノート型のパーソナルコンピュータなどの電子機器にも適用することができる。
【００６２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６３】
（付記）
請求項１に記載の発明は、機器ケースと、この機器ケースに取り付けられた読取ケースと、メモリカードの情報を読み取るカード読取部とを備え、前記カード読取部を制御回路部と読取ヘッド部とに分割し、前記制御回路部を前記機器ケース内に設け、前記読取ヘッド部を前記読取ケース内に設け、前記制御回路部と前記読取ヘッド部とを接続ケーブルによって接続したことを特徴とするカード読取装置である。
【００６４】
請求項２に記載の発明は、請求項１に記載のカード読取装置において、前記制御回路部は第１回路基板と第２回路基板とに分散されて搭載されていることを特徴とするカード読取装置である。
【００６５】
請求項３に記載の発明は、請求項２に記載のカード読取装置において、前記第１回路基板は前記機器ケースの上下面に対してほぼ平行に配置され、前記第２回路基板は前記第１回路基板にほぼ垂直な状態でコネクタ部によって電気的に接続されて配置されていることを特徴とするカード読取装置である。
【００６６】
請求項４に記載の発明は、請求項２または請求項３に記載のカード読取装置において、前記第１回路基板は、前記機器ケース内に配置された状態で、前記読取ケースが取り付けられる前記機器ケースの内面とこれに隣接して設けられた前記機器ケース内の電池収納部との間に延出されていることを特徴とするカード読取装置である。
【００６７】
請求項５に記載の発明は、請求項１〜請求項４のいずれかに記載のカード読取装置において、前記読取ヘッド部に接続された箇所の前記接続ケーブルの端部は、モールド樹脂によって覆われていることを特徴とするカード読取装置である。
【００６８】
請求項６に記載の発明は、請求項１〜請求項５のいずれかに記載のカード読取装置において、前記読取ケースは、取付部材によって前記機器ケースに着脱可能に取り付けられていることを特徴とするカード読取装置である。
【００６９】
請求項７に記載の発明は、請求項１〜請求項６のいずれかに記載のカード読取装置において、前記機器ケースと前記読取ケースとの間には、シールド部材が配置されており、このシールド部材における前記接続ケーブルが通り抜ける箇所には、前記接続ケーブルをシールドするシール材が設けられていることを特徴とするカード読取装置である。
【００７０】
請求項８に記載の発明は、請求項１に記載されたカード読取装置を備えていることを特徴とする電子機器である。
【符号の説明】
【００７１】
１  機器ケース
２  上部ケース
３  下部ケース
４  中ケース
５  入力表示部
１０  電池収納部
１１  電池パック
２０  読取ケース
２１  取付部材
２３  カード挿入口
２４  磁気カード
２５  カード読取部
２６  制御回路部
２７  読取ヘッド部
２８  接続ケーブル
３０  第１回路基板
３１  第２回路基板
３２  コネクタ部
３４  モールド樹脂
３５  シールド板
３５ｂ  シール材
【図１】
0005915886.tif 000002
【図２】
0005915886.tif 000003
【図３】
0005915886.tif 000004
【図４】
0005915886.tif 000005
【図５】
0005915886.tif 000006
【図６】
0005915886.tif 000007
【図７】
0005915886.tif 000008
【図８】
0005915886.tif 000009